(57)【要約】【課題】画像と、その画像に対して複数のユーザによって付与されたコメントとを合成して合成画像を作成することができる画像処理装置、画像処理方法、プログラムおよび記録媒体を提供する。【解決手段】本発明の画像処理装置、画像処理方法、プログラムおよび記録媒体においては、画像配置部が、第１レイアウトで合成対象画像を配置して合成画像を作成する。コメント合成領域存在判定部が、合成画像における合成対象画像の配置領域内において、コメントを合成する領域が存在しないと判定した場合に、合成画像レイアウト変更部が、第１レイアウトを、合成対象画像とコメントとを合成する第２レイアウトに変更する。画像配置部が、第２レイアウトで合成対象画像を配置し、合成対象画像とコメントとを合成して合成画像を作成し直す。【選択図】  図８
2018005597.tif 000002
【特許請求の範囲】
【請求項１】
複数のユーザから複数の画像を取得する画像取得部と、
前記複数のユーザから前記複数のユーザの各々によって前記複数の画像の各々に付与されたコメントを取得するコメント取得部と、
前記複数の画像の中から、前記コメントが付与された画像である１以上の第１画像を含む２以上の画像を合成対象画像として抽出する画像抽出部と、
第１レイアウトで前記合成対象画像を配置して合成画像を作成する画像配置部と、
前記合成画像における前記合成対象画像の配置領域内において、前記合成対象画像の周囲に前記第１画像に付与されたコメントを合成する領域が存在するか否かを判定するコメント合成領域存在判定部と、
前記コメント合成領域存在判定部が前記合成対象画像の周囲に前記第１画像に付与されたコメントを合成する領域が存在しないと判定した場合に、前記第１レイアウトを、前記合成対象画像と前記第１画像に付与されたコメントとを合成する第２レイアウトに変更する合成画像レイアウト変更部とを備え、
前記画像配置部は、前記第２レイアウトで前記合成対象画像を配置し、前記合成対象画像と前記第１画像に付与されたコメントとを合成して前記合成画像を作成し直す、画像処理装置。
【請求項２】
前記合成画像レイアウト変更部は、前記第１レイアウトを、
（１）前記第１画像に付与されたコメントを、前記合成対象画像のうちの前記第１画像以外の１以上の画像のサイズを縮小することによって得られた前記合成画像における前記合成対象画像の配置領域に配置する、
（２）前記第１画像に付与されたコメントを、前記合成対象画像のうちの前記第１画像以外の１以上の画像を削除することによって得られた前記合成画像における前記合成対象画像の配置領域に配置する、
（３）前記コメントの配置領域を半透明にし、前記合成対象画像のうちのいずれかと前記第１画像に付与されたコメントとを重畳して配置する、および、
（４）前記合成対象画像のうちのいずれかの背景領域を抽出し、前記第１画像に付与されたコメントを、前記合成対象画像のうちのいずれかの背景領域に配置する、のうちの少なくとも１つを行い前記第２レイアウトに変更する、請求項１に記載の画像処理装置。
【請求項３】
前記各々の画像に付与されたコメントの数を算出するコメント数算出部を備え、
前記合成画像レイアウト変更部は、前記合成対象画像に含まれる前記第１画像に付与されたコメントの数に応じて、前記第１レイアウトを、前記（１）ないし（４）のうちの少なくとも１つを行う前記第２レイアウトに変更する、請求項１または２に記載の画像処理装置。
【請求項４】
前記各々の画像の内容を解析する画像解析部と、
前記各々の画像の解析結果に基づいて、前記各々の画像の解析評価値を算出する評価値算出部と、
前記各々の画像に付与されたコメントの数を算出するコメント数算出部とを備え、
前記評価値算出部は、前記コメントの数が多いほど、より大きい値を前記各々の画像の解析評価値に加算することによって前記各々の画像の総合評価値を算出し、
前記画像抽出部は、前記総合評価値に基づいて、前記複数の画像の中から前記合成対象画像を抽出する請求項１ないし３のいずれか一項に記載の画像処理装置。
【請求項５】
前記複数のユーザから前記各々の画像に対するユーザの高評価または低評価を表す評価情報を取得する評価情報取得部と、
前記高評価を表す評価情報が前記各々の画像に付与された数を算出する評価数算出部とを備え、
前記評価値算出部は、さらに、前記高評価を表す評価情報の数が多いほど、より大きい値を前記各々の画像の解析評価値に加算することによって前記各々の画像の総合評価値を算出する請求項４に記載の画像処理装置。
【請求項６】
前記画像配置部は、前記第１画像が、前記コメントが付与されていない画像である第２画像よりも目立つように強調する請求項１ないし５のいずれか一項に記載の画像処理装置。
【請求項７】
前記画像配置部は、前記第１画像のサイズを拡大し前記第２画像のサイズよりも大きくする請求項６に記載の画像処理装置。
【請求項８】
前記画像配置部は、画像の周囲を装飾する枠画像を前記第１画像の周囲のみに配置する請求項５に記載の画像処理装置。
【請求項９】
前記画像配置部は、前記第２レイアウトが前記（１）および前記（２）のうちの少なくとも１つを行う場合であって、かつ１つの前記第１画像に複数のコメントが付与された場合に、前記合成画像における前記合成対象画像の配置領域において、前記１つの第１画像に付与された複数のコメントを、前記１つの第１画像の周囲に並べて配置する請求項２に記載の画像処理装置。
【請求項１０】
前記画像取得部は、さらに、前記各々のユーザから前記各々のユーザの顔画像を取得し、
前記画像配置部は、さらに、前記合成画像における前記合成対象画像の配置領域において、前記複数のコメントの各々を前記第１画像に付与したユーザの顔画像を、前記第１画像に付与された各々のコメントに対応付けて配置する請求項９に記載の画像処理装置。
【請求項１１】
前記画像配置部は、前記合成画像における前記合成対象画像の配置領域において、前記複数のコメントの各々を前記第１画像に付与したユーザの名前を、前記第１画像に付与された各々のコメントに対応付けて表示する請求項９または１０に記載の画像処理装置。
【請求項１２】
前記画像配置部は、さらに、前記第１画像に付与されたコメントを、前記第１画像のサイズを縮小することによって得られた前記合成画像における前記合成対象画像の配置領域に配置する請求項９ないし１１のいずれか一項に記載の画像処理装置。
【請求項１３】
前記画像配置部は、前記第２レイアウトが前記（３）および前記（４）のうちの少なくとも１つを行う場合、前記第１画像に付与されたコメントを前記第１画像の配置領域内に吹き出しの形式で表示する請求項２に記載の画像処理装置。
【請求項１４】
前記コメント取得部は、さらに、前記複数のユーザから前記第１画像に付与されたコメントに対して付与された追加コメントを取得し、
前記画像配置部は、前記第２レイアウトが前記（１）および前記（２）のうちの少なくとも１つを行う場合、前記合成画像における前記合成対象画像の配置領域において、前記第１画像に付与されたコメントおよび追加コメントを、前記第１画像の周囲に並べて配置する請求項２に記載の画像処理装置。
【請求項１５】
前記複数の画像の中から、前記複数のユーザのうちの少なくとも一人の第１ユーザによって指定された画像である第３画像に対するコメントを、前記複数のユーザに対してリクエストするコメントリクエスト部を備え、
前記コメント取得部は、さらに、前記第３画像に付与されたコメントを取得する請求項１ないし１４のいずれか一項に記載の画像処理装置。
【請求項１６】
前記画像配置部は、前記第１画像の解析結果に基づいて、前記第１画像に付与されたコメントに含まれる文字または前記文字の境界の色を変更する請求項１ないし１５のいずれか一項に記載の画像処理装置。
【請求項１７】
前記画像配置部は、前記第１画像に付与されたコメントに含まれる文字を立体化する請求項１ないし１５のいずれか一項に記載の画像処理装置。
【請求項１８】
１つの前記第１画像に複数のコメントが付与された場合に、前記１つの第１画像に付与された複数のコメントの中から、前記１つの第１画像に付与された複数のコメントよりも少ない数のコメントを選択コメントとして選択するコメント選択部を備え、
前記画像配置部は、前記合成対象画像を配置し、前記合成対象画像と前記選択コメントとを合成して前記合成画像を作成する請求項１ないし１７のいずれか一項に記載の画像処理装置。
【請求項１９】
画像取得部が、複数のユーザから複数の画像を取得するステップと、
コメント取得部が、前記複数のユーザから前記複数のユーザの各々によって前記複数の画像の各々に付与されたコメントを取得するステップと、
画像抽出部が、前記複数の画像の中から、前記コメントが付与された画像である１以上の第１画像を含む２以上の画像を合成対象画像として抽出するステップと、
画像配置部が、第１レイアウトで前記合成対象画像を配置して合成画像を作成するステップと、
コメント合成領域存在判定部が、前記合成画像における前記合成対象画像の配置領域内において、前記合成対象画像の周囲に前記第１画像に付与されたコメントを合成する領域が存在するか否かを判定するステップと、
合成画像レイアウト変更部が、前記コメントを合成する領域が存在するか否かを判定するステップが前記合成対象画像の周囲に前記第１画像に付与されたコメントを合成する領域が存在しないと判定した場合に、前記第１レイアウトを、前記合成対象画像と前記第１画像に付与されたコメントとを合成する第２レイアウトに変更するステップと、
前記画像配置部が、前記第２レイアウトで前記合成対象画像を配置し、前記合成対象画像と前記第１画像に付与されたコメントとを合成して前記合成画像を作成し直すステップとを含む、画像処理方法。
【請求項２０】
前記第１レイアウトを前記第２レイアウトに変更するステップは、前記第１レイアウトを、
（１）前記第１画像に付与されたコメントを、前記合成対象画像のうちの前記第１画像以外の１以上の画像のサイズを縮小することによって得られた前記合成画像における前記合成対象画像の配置領域に配置する、
（２）前記第１画像に付与されたコメントを、前記合成対象画像のうちの前記第１画像以外の１以上の画像を削除することによって得られた前記合成画像における前記合成対象画像の配置領域に配置する、
（３）前記コメントの配置領域を半透明にし、前記合成対象画像のうちのいずれかと前記第１画像に付与されたコメントとを重畳して配置する、および、
（４）前記合成対象画像のうちのいずれかの背景領域を抽出し、前記第１画像に付与されたコメントを、前記合成対象画像のうちのいずれかの背景領域に配置する、のうちの少なくとも１つを行い前記第２レイアウトに変更する、請求項１９に記載の画像処理方法。
【請求項２１】
請求項１９または２０に記載の画像処理方法の各々のステップをコンピュータに実行させるためのプログラム。
【請求項２２】
請求項１９または２０に記載の画像処理方法の各々のステップをコンピュータに実行させるためのプログラムが記録されたコンピュータ読み取り可能な記録媒体。
【発明の詳細な説明】
【技術分野】
【０００１】
本発明は、複数のユーザの端末装置からネットワークを介して取得された複数の画像を用いて、合成画像を作成する画像処理装置、画像処理方法、プログラムおよび記録媒体に関する。
【背景技術】
【０００２】
フォトブックは、ユーザが所有する複数の画像（画像データ）を、インターネットを経由してサービス提供業者に送信し、送信した複数の画像を用いてユーザが希望するレイアウトの写真集を作成するサービスである。
【０００３】
フォトブックは、例えば、画像の連続性や関連性を考慮して、撮影時刻等に基づいて複数の画像を複数のグループに分類し、各々のグループに含まれる画像を各々対応するページに自動配置（自動レイアウト）することによって作成される。
【０００４】
近年では、一人のユーザが所有する複数の画像だけを用いてフォトブックを作成するだけでなく、複数のユーザが所有する複数の画像を用いて１つのフォトブックを作成するもの（特許文献１および２参照）、および、複数のユーザから寄せ書き用のメッセージを取得し、複数のユーザから取得した寄せ書きメッセージを用いて寄せ書きを作成するもの（特許文献３および４参照）等が知られている。
また、実際に、複数のユーザが所有する複数の画像と、当該複数のユーザが寄せたメッセージなどを用いて１つのフォトブックを作成するサービスも行われている（非特許文献１〜３参照）。
【先行技術文献】
【特許文献】
【０００５】
【特許文献１】特開２００８−２５７３０８号公報
【特許文献２】特開２０１５−０６９４３１号公報
【特許文献３】特開２００１−２９７０５１号公報
【特許文献４】特開２０１５−１３３０００号公報
【非特許文献】
【０００６】
【非特許文献１】"イヤーアルバム 簡単にフォトブック・フォトアルバム作成"、[online]、平成２８年３月１日、富士フイルム、[平成２８年３月１０日検索]、インターネット<URL:http://year-album.jp/>
【非特許文献２】"みんなでつくるYear Album（イヤーアルバム）で寄せ書きフォトブックをつくろう！｜富士フイルム"、[online]、平成２８年３月１日、富士フイルム、[平成２８年３月１０日検索]、インターネット<URL:http://year-album.jp/minna/>
【非特許文献３】"作成方法：みんなでつくるYear Album（イヤーアルバム）で寄せ書きフォトブックをつくろう！｜富士フイルム"、[online]、平成２８年３月１日、富士フイルム、[平成２８年３月１０日検索]、インターネット<URL:http://year-album.jp/minna/login/>
【発明の概要】
【発明が解決しようとする課題】
【０００７】
例えば、特許文献２には、Exif（Exchangeable Image File Format：エクスチェンジャブル・イメージ・ファイル・フォーマット）タグ情報、あるいは、SNS（Social Networking Service：ソーシャル・ネットワーキング・サービス）に画像群を作成した際に各画像に付されたコメント等を利用して、画像群から、候補画像と同一のイベント名、同一の対象人物等を有する画像を抽出することが記載されている。
【０００８】
このように、特許文献２には、コメント等の情報が各画像に付されていることは記載されているが、画像と、その画像に対して複数のユーザによって付与されたコメントとを合成して合成画像を作成することは記載されていない。
【０００９】
従って、本発明の目的は、画像と、その画像に対して複数のユーザによって付与されたコメントとを合成して合成画像を作成することができる画像処理装置、画像処理方法、プログラムおよび記録媒体を提供することにある。
【課題を解決するための手段】
【００１０】
上記目的を達成するために、本発明は、複数のユーザから複数の画像を取得する画像取得部と、
複数のユーザから複数のユーザの各々によって複数の画像の各々に付与されたコメントを取得するコメント取得部と、
複数の画像の中から、コメントが付与された画像である１以上の第１画像を含む２以上の画像を合成対象画像として抽出する画像抽出部と、
第１レイアウトで合成対象画像を配置して合成画像を作成する画像配置部と、
合成画像における合成対象画像の配置領域内において、合成対象画像の周囲に第１画像に付与されたコメントを合成する領域が存在するか否かを判定するコメント合成領域存在判定部と、
コメント合成領域存在判定部が合成対象画像の周囲に第１画像に付与されたコメントを合成する領域が存在しないと判定した場合に、第１レイアウトを、合成対象画像と第１画像に付与されたコメントとを合成する第２レイアウトに変更する合成画像レイアウト変更部とを備え、
画像配置部は、第２レイアウトで合成対象画像を配置し、合成対象画像と第１画像に付与されたコメントとを合成して合成画像を作成し直す、画像処理装置を提供する。
【００１１】
ここで、合成画像レイアウト変更部は、第１レイアウトを、
（１）第１画像に付与されたコメントを、合成対象画像のうちの第１画像以外の１以上の画像のサイズを縮小することによって得られた合成画像における合成対象画像の配置領域に配置する、
（２）第１画像に付与されたコメントを、合成対象画像のうちの第１画像以外の１以上の画像を削除することによって得られた合成画像における合成対象画像の配置領域に配置する、
（３）コメントの配置領域を半透明にし、合成対象画像のうちのいずれかと第１画像に付与されたコメントとを重畳して配置する、および、
（４）合成対象画像のうちのいずれかの背景領域を抽出し、第１画像に付与されたコメントを、合成対象画像のうちのいずれかの背景領域に配置する、のうちの少なくとも１つを行い第２レイアウトに変更することが好ましい。
【００１２】
また、各々の画像に付与されたコメントの数を算出するコメント数算出部を備え、
合成画像レイアウト変更部は、合成対象画像に含まれる第１画像に付与されたコメントの数に応じて、第１レイアウトを、（１）ないし（４）のうちの少なくとも１つを行う第２レイアウトに変更することが好ましい。
【００１３】
また、各々の画像の内容を解析する画像解析部と、
各々の画像の解析結果に基づいて、各々の画像の解析評価値を算出する評価値算出部と、
各々の画像に付与されたコメントの数を算出するコメント数算出部とを備え、
評価値算出部は、コメントの数が多いほど、より大きい値を各々の画像の解析評価値に加算することによって各々の画像の総合評価値を算出し、
画像抽出部は、総合評価値に基づいて、複数の画像の中から合成対象画像を抽出することが好ましい。
【００１４】
また、複数のユーザから各々の画像に対するユーザの高評価または低評価を表す評価情報を取得する評価情報取得部と、
高評価を表す評価情報が各々の画像に付与された数を算出する評価数算出部とを備え、
評価値算出部は、さらに、高評価を表す評価情報の数が多いほど、より大きい値を各々の画像の解析評価値に加算することによって各々の画像の総合評価値を算出することが好ましい。
【００１５】
また、画像配置部は、第１画像が、コメントが付与されていない画像である第２画像よりも目立つように強調することが好ましい。
【００１６】
また、画像配置部は、第１画像のサイズを拡大し第２画像のサイズよりも大きくすることが好ましい。
【００１７】
また、画像配置部は、画像の周囲を装飾する枠画像を第１画像の周囲のみに配置することが好ましい。
【００１８】
また、画像配置部は、第２レイアウトが（１）および（２）のうちの少なくとも１つを行う場合であって、かつ１つの第１画像に複数のコメントが付与された場合に、合成画像における合成対象画像の配置領域において、１つの第１画像に付与された複数のコメントを、１つの第１画像の周囲に並べて配置することが好ましい。
【００１９】
画像取得部は、さらに、各々のユーザから各々のユーザの顔画像を取得し、
画像配置部は、さらに、合成画像における合成対象画像の配置領域において、複数のコメントの各々を第１画像に付与したユーザの顔画像を、第１画像に付与された各々のコメントに対応付けて配置することが好ましい。
【００２０】
また、画像配置部は、合成画像における合成対象画像の配置領域において、複数のコメントの各々を第１画像に付与したユーザの名前を、第１画像に付与された各々のコメントに対応付けて表示することが好ましい。
【００２１】
画像配置部は、さらに、第１画像に付与されたコメントを、第１画像のサイズを縮小することによって得られた合成画像における合成対象画像の配置領域に配置することが好ましい。
【００２２】
また、画像配置部は、第２レイアウトが（３）および（４）のうちの少なくとも１つを行う場合、第１画像に付与されたコメントを第１画像の配置領域内に吹き出しの形式で表示することが好ましい。
【００２３】
コメント取得部は、さらに、複数のユーザから第１画像に付与されたコメントに対して付与された追加コメントを取得し、
画像配置部は、第２レイアウトが（１）および（２）のうちの少なくとも１つを行う場合、合成画像における合成対象画像の配置領域において、第１画像に付与されたコメントおよび追加コメントを、第１画像の周囲に並べて配置することが好ましい。
【００２４】
また、複数の画像の中から、複数のユーザのうちの少なくとも一人の第１ユーザによって指定された画像である第３画像に対するコメントを、複数のユーザに対してリクエストするコメントリクエスト部を備え、
コメント取得部は、さらに、第３画像に付与されたコメントを取得することが好ましい。
【００２５】
また、画像配置部は、第１画像の解析結果に基づいて、第１画像に付与されたコメントに含まれる文字または文字の境界の色を変更することが好ましい。
【００２６】
また、画像配置部は、第１画像に付与されたコメントに含まれる文字を立体化することが好ましい。
【００２７】
また、１つの第１画像に複数のコメントが付与された場合に、１つの第１画像に付与された複数のコメントの中から、１つの第１画像に付与された複数のコメントよりも少ない数のコメントを選択コメントとして選択するコメント選択部を備え、
画像配置部は、合成対象画像を配置し、合成対象画像と選択コメントとを合成して合成画像を作成することが好ましい。
【００２８】
また、本発明は、画像取得部が、複数のユーザから複数の画像を取得するステップと、
コメント取得部が、複数のユーザから複数のユーザの各々によって複数の画像の各々に付与されたコメントを取得するステップと、
画像抽出部が、複数の画像の中から、コメントが付与された画像である１以上の第１画像を含む２以上の画像を合成対象画像として抽出するステップと、
画像配置部が、第１レイアウトで合成対象画像を配置して合成画像を作成するステップと、
コメント合成領域存在判定部が、合成画像における合成対象画像の配置領域内において、合成対象画像の周囲に第１画像に付与されたコメントを合成する領域が存在するか否かを判定するステップと、
合成画像レイアウト変更部が、コメントを合成する領域が存在するか否かを判定するステップが合成対象画像の周囲に第１画像に付与されたコメントを合成する領域が存在しないと判定した場合に、第１レイアウトを、合成対象画像と第１画像に付与されたコメントとを合成する第２レイアウトに変更するステップと、
画像配置部が、第２レイアウトで合成対象画像を配置し、合成対象画像と第１画像に付与されたコメントとを合成して合成画像を作成し直すステップとを含む、画像処理方法を提供する。
【００２９】
ここで、第１レイアウトを第２レイアウトに変更するステップは、第１レイアウトを、
（１）第１画像に付与されたコメントを、合成対象画像のうちの第１画像以外の１以上の画像のサイズを縮小することによって得られた合成画像における合成対象画像の配置領域に配置する、
（２）第１画像に付与されたコメントを、合成対象画像のうちの第１画像以外の１以上の画像を削除することによって得られた合成画像における合成対象画像の配置領域に配置する、
（３）コメントの配置領域を半透明にし、合成対象画像のうちのいずれかと第１画像に付与されたコメントとを重畳して配置する、および、
（４）合成対象画像のうちのいずれかの背景領域を抽出し、第１画像に付与されたコメントを、合成対象画像のうちのいずれかの背景領域に配置する、のうちの少なくとも１つを行い第２レイアウトに変更することが好ましい。
【００３０】
また、本発明は、上記に記載の画像処理方法の各々のステップをコンピュータに実行させるためのプログラムを提供する。
【００３１】
また、本発明は、上記に記載の画像処理方法の各々のステップをコンピュータに実行させるためのプログラムが記録されたコンピュータ読み取り可能な記録媒体を提供する。
【発明の効果】
【００３２】
本発明によれば、複数のユーザから複数の画像を取得し、複数の画像の各々に対して、複数のユーザによって付与されたコメントを取得し、合成対象画像と、第１画像に対して複数のユーザによって付与されたコメントとを合成して合成画像を作成することができる。また、本発明によれば、合成画像における第１画像の価値を損なうことなく、より多くのコメントを合成画像における合成対象画像の配置領域に配置することができる。
【図面の簡単な説明】
【００３３】
【図１】本発明に係る画像処理装置の構成を表す一実施形態のブロック図である。
【図２】図１に示すサーバの構成を表す一実施形態のブロック図である。
【図３】図２に示す情報設定部の構成を表す一実施形態のブロック図である。
【図４】図２に示す情報管理部の構成を表す一実施形態のブロック図である。
【図５】図２に示すデータ取得部の構成を表す一実施形態のブロック図である。
【図６】図２に示すデータ解析部の構成を表す一実施形態のブロック図である。
【図７】図２に示す合成画像作成部の構成を表す一実施形態のブロック図である。
【図８】図７に示す本編作成部の構成を表す一実施形態のブロック図である。
【図９】図１に示すユーザの端末装置の構成を表す一実施形態のブロック図である。
【図１０】図１に示す画像処理装置の動作を表す一実施形態のフローチャートである。
【図１１】図１０に続く画像処理装置の動作を表す一実施形態のフローチャートである。
【図１２】図１１に続く画像処理装置の動作を表す一実施形態のフローチャートである。
【図１３】合成画像の予算を設定する画面を表す一例の概念図である。
【図１４】フォトブックの表紙ページのデザインを設定する画面を表す一例の概念図である。
【図１５】フォトブックの寄せ書きページのデザインを設定する画面を表す一例の概念図である。
【図１６】画像および寄せ書きメッセージの募集締切日を設定する画面を表す一例の概念図である。
【図１７】合成画像の作成期間を設定する画面を表す一例の概念図である。
【図１８】画像商品の配送日を設定する画面を表す一例の概念図である。
【図１９】画像商材および日程の情報を確認する画面を表す一例の概念図である。
【図２０】アカウント情報を入力する画面を表す一例の概念図である。
【図２１】幹事ユーザのログインと、画像商材および日程の情報の保存とが完了したことを表す画面を表す一例の概念図である。
【図２２】参加ユーザの端末装置へ送付する招待状を作成するための画面を表す一例の概念図である。
【図２３】招待状の内容を確認するための画面を表す一例の概念図である。
【図２４】招待状を参加ユーザの端末装置へ送付するための画面を表す一例の概念図である。
【図２５】受け取った招待状を表す画面を表す一例の概念図である。
【図２６】合成画像において使用される画像、画像の評価情報、寄せ書きメッセージ等を参加ユーザがアップロードする画面にアクセスするための共通パスワードを入力するための画面を表す一例の概念図である。
【図２７】新規な参加ユーザを登録するための画面を表す一例の概念図である。
【図２８】参加ユーザとして登録する名前および秘密のコトバを登録するための画面を表す一例の概念図である。
【図２９】参加ユーザがアップロードする画像を選択するための画面を表す一例の概念図である。
【図３０】２以上の参加ユーザの端末装置から送信された複数の画像の各々を評価するための画面を表す一例の概念図である。
【図３１】２以上の参加ユーザの端末装置から送信された複数の画像の各々に対してコメントを付与するための画面を表す一例の概念図である。
【図３２】寄せ書きページがフォトブックの巻末に入ることを通知する画面を表す一例の概念図である。
【図３３】寄せ書きページにおいて使用する参加ユーザのプロフィール画像を設定するための画面を表す一例の概念図である。
【図３４】寄せ書きメッセージを入力するための画面を表す一例の概念図である。
【図３５】参加ユーザが入力した寄せ書きメッセージを確認するための画面を表す一例の概念図である。
【図３６】寄せ書きメッセージのアップロードが完了したことを表す画面を表す一例の概念図である。
【発明を実施するための形態】
【００３４】
以下に、添付の図面に示す好適実施形態に基づいて、本発明の画像処理装置、画像処理方法、プログラムおよび記録媒体を詳細に説明する。
【００３５】
図１は、本発明に係る画像処理装置の構成を表す一実施形態のブロック図である。同図に示す画像処理装置１０は、合成画像の作成に関わる複数のユーザの端末装置からネットワーク１６を介して取得された複数の画像を用いて、寄せ書きページを含むフォトブック等の合成画像を作成する。画像処理装置１０は、サーバ１２と、ネットワーク１６を介してサーバ１２に接続された複数のユーザの端末装置（クライアント）１４とを備えている。
【００３６】
サーバ１２は、端末装置１４からの指示に基づいて、合成画像を作成するための種々のデータ処理を行うものであり、例えば、デスクトップPC（Personal Computer：パーソナルコンピュータ）またはワークステーション等により構成される。
【００３７】
端末装置１４は、サーバ１２に対して各種の指示を与えて種々のデータ処理を行わせるものであり、例えば、スマートフォン、タブレットPCまたはノートPC等により構成される。
【００３８】
ネットワーク１６は、例えば、電話回線またはインターネット回線等であり、有線または無線によってサーバ１２と端末装置１４との間を相互に接続し、双方向の通信を可能とする。
【００３９】
図２は、図１に示すサーバの構成を表す一実施形態のブロック図である。同図に示すサーバ１２は、合成画像に関する各種の情報を設定する情報設定部１８と、合成画像の作成に関する各種の情報を管理する情報管理部２０と、合成画像において使用する各種のデータを取得するデータ取得部２２と、合成画像において使用する各種のデータを解析するデータ解析部２４と、合成画像を作成する合成画像作成部２６とを備えている。
【００４０】
以下の説明では、本編ページおよび寄せ書きページを含む合成画像の作成に関わる複数のユーザのうち、合成画像を作成する一人のユーザを幹事ユーザと表現し、幹事ユーザを含む２以上のユーザを参加ユーザと表現する。例えば、幹事が友人グループのうちの一人である場合などがこれに該当する。
ただし、別の実施態様において、写真店が幹事の代行を請け負う場合のように幹事自体は写真もメッセージも提供しないような場合は、参加ユーザの数には幹事ユーザの数は含まないものとする。
【００４１】
図３は、図２に示す情報設定部の構成を表す一実施形態のブロック図である。同図に示す情報設定部１８は、予算設定部２８と、商材取得部３０と、表紙デザイン設定部３２と、寄せ書きデザイン設定部３４と、日程設定部３６とを備えている。
【００４２】
予算設定部２８は、幹事ユーザによって設定された合成画像の予算の情報を、ネットワーク１６を介して、幹事ユーザの端末装置１４から取得する。
【００４３】
続いて、商材取得部３０は、予算設定部２８によって取得された予算の情報に対応するサイズおよびページ数の１以上の画像商材（画像商材の情報）の中から、幹事ユーザによって設定された１つの画像商材を、ネットワーク１６を介して、幹事ユーザの端末装置１４から取得する。
【００４４】
画像商材は、画像商品を作成するための素材であり、例えば、フォトブック等のフォトアルバム、シャッフルプリント、画像付きカレンダ等を含む。画像は主に写真である。
また、画像商材には、各々サイズおよびページ数のうちの少なくとも一方が異なる複数種類の画像商材が含まれる。画像商材のページ数は、本編ページおよび寄せ書きページを含むページ数である。画像商品には、紙媒体の画像商品および電子データの画像商品が含まれる。
本発明にいうページとは、画像配置および寄せ書き配置を行う単位をいう。本実施形態においては、見開きページのことを指す。しかし他の実施形態においては片面ページであってもよい。また、本実施形態内の画像処理装置の内部では見開きページを単位とし、かつユーザには片面ページを単位として画像商材のページ数を表示することとしてもよい。
【００４５】
フォトブックは、例えば、ユーザが選択した複数の画像を、ユーザの所望のレイアウトで複数のページに配置した合成画像である。フォトブックはまた、ユーザが保有する所望の期間（例えば一年分）の画像から、自動選択により選択された画像を、自動レイアウトで複数のページに配置した合成画像であってもよい（例えば富士フイルム株式会社製のイヤーアルバム）。また、シャッフルプリントは、複数の画像をシャッフルして１枚のプリントに配置した合成画像である。画像付きカレンダは、例えば、各月のカレンダに対応する画像を配置した合成画像である。
【００４６】
本実施形態の場合、合成画像は、寄せ書きページを巻末に含むフォトブックである。寄せ書きページは、参加ユーザの端末装置１４から取得された２以上の参加ユーザの寄せ書きメッセージが配置された合成画像である。寄せ書きメッセージは、寄せ書きページにおいて使用される参加ユーザのメッセージである。
また、寄せ書きメッセージに加えて、プロフィール画像を寄せ書きページに配置してもよい。プロフィール画像は、例えば、参加ユーザの顔画像であるが、その他の画像でもよい。
【００４７】
続いて、表紙デザイン設定部３２は、１以上の表紙ページのデザインの中から、幹事ユーザによって設定された１つの表紙ページのデザインの情報を、ネットワーク１６を介して、幹事ユーザの端末装置１４から取得する。
【００４８】
表紙ページのデザインの情報には、例えば、表紙ページの模様、表紙ページに描かれているイラスト等のデザインの情報の他、表紙ページに記載される合成画像のタイトルの情報、表紙ページの色の情報等が含まれる。
【００４９】
続いて、寄せ書きデザイン設定部３４は、１以上の寄せ書きページのデザインの中から、幹事ユーザによって設定された１つの寄せ書きページのデザインの情報を、ネットワーク１６を介して、幹事ユーザの端末装置１４から取得する。
【００５０】
寄せ書きページのデザインの情報には、例えば、参加ユーザのプロフィール画像および寄せ書きメッセージを寄せ書きページに配置する位置および大きさ等があらかじめ設定されたテンプレートの情報等を含む。
【００５１】
続いて、日程設定部３６は、幹事ユーザによって設定された画像および寄せ書きメッセージの募集締切日、合成画像の作成期間、および、画像商品の配送日を含む日程の情報を、ネットワーク１６を介して、幹事ユーザの端末装置１４から取得する。
【００５２】
画像および寄せ書きメッセージの募集締切日は、参加ユーザが画像および寄せ書きメッセージをアップロード（投稿）することができる期限、つまり、画像処理装置１０が参加ユーザの端末装置１４から画像および寄せ書きメッセージを取得することができる期限を表す。
また、合成画像の作成期間は、幹事ユーザが、複数のユーザの端末装置１４から取得された複数の画像を用いて合成画像を作成するための期間、言い換えると、画像商品を注文する期限を表し、画像商品の配送日は、画像商品を配送する日付を表す。
【００５３】
続いて、図４は、図２に示す情報管理部の構成を表す一実施形態のブロック図である。同図に示す情報管理部２０は、設定保存部３８と、アカウント情報保存部４０と、管理画面情報送付部４２と、アップロード催促部４４とを備えている。
【００５４】
設定保存部３８は、商材取得部３０によって取得された画像商材、および、日程設定部３６によって取得された日程の情報を保存する。
【００５５】
続いて、アカウント情報保存部４０は、幹事ユーザによって設定された幹事ユーザのアカウント情報を、ネットワーク１６を介して、幹事ユーザの端末装置１４から取得する。また、アカウント情報保存部４０は、参加ユーザによって設定された参加ユーザのアカウント情報を、ネットワーク１６を介して、参加ユーザの端末装置１４から取得して保存する。
【００５６】
例えば、幹事ユーザのアカウント情報は、幹事ユーザのメールアドレスおよび幹事パスワードである。一方、参加ユーザのアカウント情報は、参加ユーザの名前および個別パスワード（参加ユーザに対しては図２８にあるように「秘密のコトバ」と表示される）である。参加ユーザの名前は、幹事ユーザが参加ユーザを管理するために使用され、個別パスワードは、画像処理装置１０が参加ユーザを特定するために使用される。本実施形態の場合、秘密のコトバは、後から変更および再発行はできないものとする。
【００５７】
続いて、管理画面情報送付部４２は、幹事ユーザが、画像商材および日程等を管理する管理画面にアクセスするためのURL（Uniform Resource Locator：ユニフォームリソースロケータ）を含むメッセージを、ネットワーク１６を介して、幹事ユーザの端末装置１４に送付する。幹事ユーザは、管理画面から画像商材および日程の変更の他、幹事ユーザの変更、幹事ユーザの追加（例えば後述する副幹事の追加）等を行うことができる。
【００５８】
管理画面情報送付部４２は、例えば、電子メールにより、管理画面にアクセスするためのURLを含むメッセージを、アカウント情報保存部４０によって取得された幹事ユーザのメールアドレスに送付する。
【００５９】
続いて、アップロード催促部４４は、幹事ユーザによって作成された招待状を、ネットワーク１６を介して、参加ユーザの端末装置１４へ送付する。
【００６０】
招待状は、参加ユーザを合成画像の作成に招待し、合成画像において使用される画像、各々の画像に対する評価情報、プロフィール画像および寄せ書きメッセージ等をアップロードすることを参加ユーザに催促する催促情報である。
【００６１】
アップロード催促部４４は、招待状を、例えば、SNS（Social Networking Service：ソーシャルネットワーキングサービス）のメッセージ、または、電子メールによって参加ユーザの端末装置１４に送付する。
【００６２】
続いて、図５は、図２に示すデータ取得部の構成を表す一実施形態のブロック図である。同図に示すデータ取得部２２は、画像取得部４６と、評価情報取得部４８と、コメント取得部７２と、コメントリクエスト部７４と、メッセージ取得部５０とを備えている。
【００６３】
画像取得部４６は、一定の期間、本実施形態の場合、招待状が送付されてから、日程設定部３６によって設定された画像および寄せ書きメッセージの募集締切日までの期間、２以上の参加ユーザの端末装置１４からネットワーク１６を介して送信された複数の画像（画像群）を取得する。また、画像取得部４６は、各々の参加ユーザによって設定された参加ユーザのプロフィール画像を取得する。
【００６４】
画像取得部４６は、参加ユーザの端末装置１４からネットワーク１６を介して送信された複数の画像（画像群）を取得したのち、その複数の画像がどの参加ユーザから送信されたものであるかを画像と関連付けて保存する。また、画像取得部４６は、参加ユーザの端末装置１４からネットワーク１６を介して送信されたプロフィール画像についても、どの参加ユーザから送信されたものであるかをプロフィール画像と関連付けて保存する。
【００６５】
なお、画像取得部４６は、例えば、各々の参加ユーザが、サーバ１２において、SD（Secure Digital：セキュア・デジタル）カード等の記憶装置に記憶された各々の参加ユーザの画像を入力することにより、ネットワーク１６を経由することなく、複数の参加ユーザから複数の画像を取得することもできる。
【００６６】
続いて、評価情報取得部４８は、同じく一定の期間、２以上の参加ユーザによって付与された各々の画像に対する評価を表す評価情報を、ネットワーク１６を介して、２以上の参加ユーザの端末装置１４から取得する。
【００６７】
画像の評価情報は、各々の画像に対する各々の参加ユーザの評価、例えば、高評価または低評価を表す情報である。
【００６８】
評価情報取得部４８は、例えば、各々の参加ユーザが、サーバ１２において、各々の画像に対して評価情報を付与することにより、ネットワーク１６を経由することなく、複数の参加ユーザから各々の画像に対する評価情報を取得することもできる。
【００６９】
続いて、コメント取得部７２は、同じく一定の期間、複数の参加ユーザの端末装置１４から、ネットワーク１６を介して、複数の参加ユーザの各々によって複数の画像の各々に付与されたコメントを取得する。
【００７０】
コメント取得部７２は、例えば、各々の参加ユーザが、サーバ１２において、各々の画像に対してコメントを付与することにより、ネットワーク１６を経由することなく、複数の参加ユーザによって各々の画像に付与されたコメントを取得することもできる。
【００７１】
続いて、コメントリクエスト部７４は、画像取得部４６によって取得された複数の画像の中から、幹事ユーザによって指定された画像である第３画像に対するコメントを、ネットワーク１６を介して、複数の参加ユーザの端末装置１４に対してリクエストする。
【００７２】
コメントリクエスト部７４は、例えば、参加ユーザの端末装置１４において、コメントをリクエストするメッセージを、参加ユーザの端末装置１４の画像表示部に表示させることにより、ネットワーク１６を経由することなく、コメントを参加ユーザに対してリクエストすることもできる。
【００７３】
続いて、メッセージ取得部５０は、同じく一定の期間、各々の参加ユーザによってアップロードされた寄せ書きメッセージを、ネットワーク１６を介して、各々の参加ユーザの端末装置１４から取得する。
【００７４】
メッセージ取得部５０は、参加ユーザの端末装置１４からネットワーク１６を介して送信された寄せ書きメッセージについて、どの参加ユーザから送信されたものであるかを寄せ書きメッセージと関連付けて保存する。
【００７５】
メッセージ取得部５０は、例えば、各々の参加ユーザが、サーバ１２において、寄せ書きメッセージを入力することにより、ネットワーク１６を経由することなく、複数の参加ユーザから寄せ書きメッセージを取得することもできる。
【００７６】
続いて、図６は、図２に示すデータ解析部の構成を表す一実施形態のブロック図である。同図に示すデータ解析部２４は、画像数算出部５２と、評価数算出部５４と、コメント数算出部７６と、メッセージ数算出部５６と、画像解析部５８と、評価値算出部６０とを備えている。
【００７７】
画像数算出部５２は、アップロード催促部４４によって招待状が送付されてから一定の期間が経過した後、つまり、画像および寄せ書きメッセージの募集締切日が過ぎた後、画像取得部４６によって取得された画像の数を算出する。
【００７８】
続いて、評価数算出部５４は、同じく画像および寄せ書きメッセージの募集締切日が過ぎた後、評価情報取得部４８によって取得された、各々の画像に付与された高評価および低評価を表す評価情報の数を算出する。
【００７９】
続いて、コメント数算出部７６は、同じく画像および寄せ書きメッセージの募集締切日が過ぎた後、コメント取得部７２によって取得された、各々の画像に付与されたコメントの数を算出する。
【００８０】
続いて、メッセージ数算出部５６は、同じく画像および寄せ書きメッセージの募集締切日が過ぎた後、メッセージ取得部５０によって取得された寄せ書きメッセージの数を算出する。
【００８１】
続いて、画像解析部５８は、画像取得部４６によって取得された各々の画像の内容を解析する。本実施形態の場合、画像解析部５８は、画像取得部４６によって画像が取得される毎に、画像解析を行う。
【００８２】
画像解析部５８は、例えば、画像の明るさや色合い、ボケおよびブレの程度等の解析の他、画像に人物の顔が含まれる場合には、顔の大きさ、顔の位置、顔の向き、顔の肌色、笑顔等の表情、目線、画像に含まれる人物の数、人物の位置関係等の解析を行う。
【００８３】
続いて、評価値算出部６０は、画像解析部５８による各々の画像の解析結果に基づいて、各々の画像の解析評価値を算出する。また、評価値算出部６０は、評価情報取得部４８によって取得された各々の画像に対する高評価および低評価を表す評価情報、および、コメント取得部７２によって取得された各々の画像に付与されたコメントのうちの少なくとも一方に基づいて、各々の画像の解析評価値に対して値を加減算ないしは重み付けして、各々の画像の総合評価値を算出する。
【００８４】
評価値算出部６０は、例えば、評価数算出部５４によって算出された高評価を表す評価情報の数に基づいて、画像の解析評価値に対して値を加算し、低評価を表す評価情報の数に基づいて、画像の解析評価値に対して値を減算することによって画像の総合評価値を算出することができる。また、評価値算出部６０は、コメント数算出部７６によって算出されたコメントの数に基づいて、画像の解析評価値に対して値を加算することによって画像の総合評価値を算出することができる。つまり、コメントの付与は、高評価を表す評価情報の付与と等価と見なすことができる。
【００８５】
画像の解析評価値は、画像の解析結果に基づいて算出されるため、画像の良し悪しを決定するための基準となり、解析評価値が高いほど、画質の良い画像であると言える。
画像の総合評価値は、画像の解析結果に加えて、参加ユーザによって付与された高評価および低評価を表す評価情報、および、参加ユーザによって付与されたコメントに基づいて算出されるため、画像の良し悪しに加えて、参加ユーザの好みを判断するための基準となり、総合評価値が高いほど、画質の良い画像、または、参加ユーザの好みの画像であると言える。
【００８６】
続いて、図７は、図２に示す合成画像作成部の構成を表す一実施形態のブロック図である。同図に示す合成画像作成部２６は、表紙作成部６２と、本編作成部６４と、寄せ書き作成部６６とを備えている。
【００８７】
表紙作成部６２は、設定保存部３８に保存された商材の情報、および、表紙デザイン設定部３２によって取得された表紙ページのデザインの情報に対応するデザインの表紙ページを作成する。
【００８８】
続いて、本編作成部６４は、画像取得部４６によって取得された複数の画像を用いて、設定保存部３８に保存された商材の情報に対応するページ数の本編ページ（表紙ページおよび寄せ書きページ以外のページ）を作成する。本編作成部６４は、設定保存部３８に保存された商材の情報に対応する合成画像、本実施形態の場合、フォトブックの本編ページを作成する。
【００８９】
本編作成部６４は、図８に示すように、画像分割部７８と、画像抽出部８０と、画像配置部８２と、コメント合成領域存在判定部８４と、合成画像レイアウト変更部８６と、コメント選択部８８とを備えている。
【００９０】
画像分割部７８は、画像取得部４６によって取得された複数の画像を、本編ページのページ数に対応する数のグループに分割する。
【００９１】
画像抽出部８０は、複数の画像の中から、コメントが付与された画像である１以上の第１画像を含む２以上の画像を本編ページにおいて使用する合成対象画像として抽出する。
本実施形態の場合、画像抽出部８０は、画像のグループ毎に、画像の総合評価値に基づいて、グループに含まれる画像の中から、本編ページにおいて使用する複数の画像を合成対象画像として抽出する。
【００９２】
画像配置部８２は、画像のグループ毎に、画像の総合評価値に基づいて、第１レイアウトとして、画像抽出部８０によって抽出された各々の合成対象画像のサイズおよび本編ページにおける配置位置を決定し、合成対象画像を、画像のグループに対応するページの本編ページに第１レイアウトで配置（自動レイアウト）して本編ページを作成する。
【００９３】
第１レイアウトは、本編ページに配置される第１画像に付与されたコメントを配置することなく、本編ページに配置される合成対象画像の数、各々の合成対象画像のサイズおよび配置位置等が決定されたレイアウトである。
【００９４】
続いて、コメント合成領域存在判定部８４は、画像配置部８２によって作成された本編ページにおける合成対象画像の配置領域内において、合成対象画像の周囲に、第１画像に付与されたコメントを合成する領域が存在するか否かを判定する。つまり、本編ページにおける合成対象画像の配置領域内において、合成対象画像の配置領域以外の領域にコメントを配置することができるか否かを判定する。
【００９５】
続いて、合成画像レイアウト変更部８６は、コメント合成領域存在判定部８４が合成対象画像の周囲に第１画像に付与されたコメントを合成する領域が存在しないと判定した場合に、画像配置部８２によって決定された第１レイアウトを、合成対象画像と第１画像に付与されたコメントとを合成する第２レイアウトに変更する。
【００９６】
第２レイアウトは、第１レイアウトおよび本編ページに配置される第１画像に付与されたコメントの数に基づいて、合成対象画像と、第１画像に付与されたコメントとを合成することができるように、第１レイアウトにおいて、各々の合成対象画像のサイズおよび数、ならびに、第１画像に付与されたコメントの配置位置のうちの少なくとも１つが変更されたレイアウトである。
【００９７】
続いて、コメント選択部８８は、１つの第１画像に複数のコメントが付与された場合に、１つの第１画像に付与された複数のコメントの中から、１つの第１画像に付与された複数のコメントよりも少ない数のコメントを選択コメントとして選択する。
【００９８】
続いて、寄せ書き作成部６６は、メッセージ取得部５０によって取得された参加ユーザのプロフィール画像および寄せ書きメッセージを用いて、寄せ書きページを作成する。寄せ書き作成部６６は、設定保存部３８に保存された商材の情報、および、寄せ書きデザイン設定部３４によって取得された寄せ書きのデザインの情報に対応するデザインの寄せ書きページを作成する。
【００９９】
寄せ書き作成部６６は、図示省略するが、メッセージ分割部およびメッセージ配置部等を備えている。
【０１００】
メッセージ分割部は、メッセージ取得部５０によって取得された寄せ書きメッセージを、寄せ書きページのページ数に対応する数のグループに分割する。
【０１０１】
メッセージ配置部は、寄せ書きメッセージのグループ毎に、グループに含まれる寄せ書きメッセージを、寄せ書きメッセージのグループに対応するページの寄せ書きページに配置する。
【０１０２】
寄せ書きページのページ数は、参加ユーザの数および寄せ書きメッセージの数等に応じて設定される。また、本編ページのページ数は、合成画像のページ数および寄せ書きページのページ数等に応じて設定される。本実施形態の場合、参加ユーザの数を２〜３６人とし、１ページの寄せ書きページに２〜１２の寄せ書きメッセージを配置し、１６ページのフォトブックを作成するものとする。
【０１０３】
上記情報設定部１８、情報管理部２０、データ取得部２２、データ解析部２４、合成画像作成部２６を構成する各部位は、例えば、CPU（Central Processing Unit：中央処理装置）等の制御デバイスが、メモリにロードされたプログラムを実行することにより実現される。また、各部位によって保存されるデータは、例えば、HDD（Hard Disk Drive：ハードディスクドライブ）、SSD（Solid State Drive：ソリッドステートドライブ）、SD（Secure Digital：セキュアデジタル）メモリ等の記憶デバイスに保存される。
【０１０４】
次に、図９は、図１に示すユーザの端末装置の構成を表す一実施形態のブロック図である。同図に示すユーザの端末装置１４は、画像表示部６８と、指示入力部７０とを備えている。
【０１０５】
端末装置１４において、画像表示部６８は、各種の設定画面、選択画面、確認画面、入力画面、作成画面等を表示するものであり、例えば、液晶ディスプレイ等の表示デバイスによって構成される。
【０１０６】
続いて、指示入力部７０は、ユーザによって入力された各種の設定指示、選択指示、確認指示、入力指示、作成指示等を取得するものであり、例えば、キーボードおよびマウス等の入力デバイスによって構成される。
【０１０７】
本実施形態の場合、画像表示部６８および指示入力部７０は、タッチパネル等のように、表示デバイスおよび入力デバイスが一体化されたデバイスによって構成される。
【０１０８】
端末装置１４は、合成画像の作成に関わる各々のユーザに１対１に対応して１台である必要はなく、画像処理装置１０における各々のユーザのアカウントに対応することができるものであれば、各々のユーザに対応して複数台であってもよい。
【０１０９】
図示省略しているが、サーバ１２および端末装置１４は、例えば、サーバ１２と端末装置１４との間で各種データの送受信を行う通信デバイス等である送受信部、各部位の動作を制御するCPU等である制御部等を備えている。
【０１１０】
次に、図１０〜図１２に示すフローチャートおよび図１３〜図３６に示す表示画面を参照しながら、画像処理装置１０の動作を説明する。
【０１１１】
合成画像を作成する場合、まず、幹事ユーザは、幹事ユーザの端末装置１４において、指示入力部７０を介して、画像処理装置１０が提供する、合成画像を作成するためのウェブサイトにアクセスする。
【０１１２】
合成画像を作成するためのウェブサイトにアクセスすると、図１３に示すように、予算設定部２８により、合成画像の予算を設定する画面が、幹事ユーザの端末装置１４の画像表示部６８に表示される。
【０１１３】
幹事ユーザは、合成画像の予算を設定する画面において、指示入力部７０を介して、幹事ユーザが作成する合成画像の予算を設定する。図１３の例では、プルダウンメニューによって、合成画像の予算の一覧があらかじめ登録されている。幹事ユーザは、プルダウンメニューに登録されている合成画像の予算の一覧の中から１つの予算、例えば、３０００円〜４０００円を選択して設定する。
【０１１４】
合成画像の予算が設定されると、予算設定部２８により、幹事ユーザによって設定された合成画像の予算の情報が、幹事ユーザの端末装置１４から取得される（ステップS1）。
【０１１５】
続いて、商材取得部３０により、予算の情報に対応する１以上の画像商材が提示される。図１３の例では、画像商材として、サイズおよびページ数の異なる５件のフォトブックが提示される。
【０１１６】
画像商材が提示されると、商材取得部３０により、提示した１以上の画像商材の中から１つの画像商材を設定する画面が、幹事ユーザの端末装置１４の画像表示部６８に表示される。
【０１１７】
幹事ユーザは、画像商材を設定する画面において、指示入力部７０を介して、提示された１以上の画像商材の中から１つの画像商材を選択して設定する。図１３の例では、A4サイズの１６ページのフォトブックが設定されている。
【０１１８】
画像商材としてフォトブックが設定された後、「次へ」のボタンが押されると、例えば、「次へ」のボタンがタップまたはクリックされると、商材取得部３０により、幹事ユーザによって設定された１つの画像商材が取得される（ステップS2）。
【０１１９】
なお、「＜」のボタンが押されると、１つ前の画面に戻ることができる。これ以後の画面においても同様である。
【０１２０】
続いて、図１４に示すように、表紙デザイン設定部３２により、フォトブックの表紙ページのデザインを設定する画面が、幹事ユーザの端末装置１４の画像表示部６８に表示される。
【０１２１】
幹事ユーザは、表紙ページのデザインを設定する画面において、指示入力部７０を介して、１以上の表紙ページのデザイン、図１４の例では、３件の表紙ページのデザインの中から、１つの表紙ページのデザインを選択して設定する。また、幹事ユーザは、フォトブックの表紙ページのデザインの情報として、例えば、表紙ページに記載される最大２０文字までのフォトブックのタイトル、および、表紙ページの色を設定することができる。
【０１２２】
表紙ページのデザインが設定された後、「次へ」のボタンが押されると、表紙デザイン設定部３２により、幹事ユーザによって設定された表紙ページのデザインの情報が、幹事ユーザの端末装置１４から取得される（ステップS3）。
【０１２３】
続いて、図１５に示すように、寄せ書きデザイン設定部３４により、フォトブックの寄せ書きページのデザインを設定する画面が、幹事ユーザの端末装置１４の画像表示部６８に表示される。
【０１２４】
幹事ユーザは、寄せ書きページのデザインを設定する画面において、指示入力部７０を介して、１以上の寄せ書きのデザイン、図１５の例では、９件の寄せ書きのデザインの中から、１つの寄せ書きのデザインを選択して設定する。
【０１２５】
寄せ書きページのデザインが設定された後、「次へ」のボタンが押されると、寄せ書きデザイン設定部３４により、幹事ユーザによって設定された寄せ書きページのデザインの情報が、幹事ユーザの端末装置１４から取得される（ステップS4）。
【０１２６】
続いて、図１６に示すように、日程設定部３６により、画像および寄せ書きメッセージの募集締切日を設定する画面が、幹事ユーザの端末装置１４の画像表示部６８に表示される。
【０１２７】
幹事ユーザは、画像および寄せ書きメッセージの募集締切日を設定する画面において、指示入力部７０を介して、画像および寄せ書きメッセージの募集締切日を設定する。図１６の例では、プルダウンメニューによって、現在の日付から一定期間内の日付の一覧があらかじめ登録されている。幹事ユーザは、プルダウンメニューに登録されている日付の一覧の中から１つの日付、例えば、１２月２日を募集締切日として選択して設定する。
【０１２８】
画像および寄せ書きメッセージの募集締切日が設定された後、「次へ」のボタンが押されると、日程設定部３６により、幹事ユーザによって設定された画像および寄せ書きメッセージの募集締切日の情報が、幹事ユーザの端末装置１４から取得される（ステップS5）。
【０１２９】
続いて、図１７に示すように、日程設定部３６により、合成画像の作成期間を設定する画面が、幹事ユーザの端末装置１４の画像表示部６８に表示される。
【０１３０】
幹事ユーザは、合成画像の作成期間を設定する画面において、指示入力部７０を介して、合成画像の作成期間を設定する。図１７の例では、プルダウンメニューによって、画像および寄せ書きメッセージの募集の期間の締切日から３０日以内の日付の一覧があらかじめ登録されている。幹事ユーザは、プルダウンメニューに登録されている日付の一覧の中から１つの日付、例えば、１２月４日を選択することによって１２月２日〜４日を作成期間として設定する。
【０１３１】
合成画像の作成期間が設定された後、「次へ」のボタンが押されると、日程設定部３６により、幹事ユーザによって設定された合成画像の作成期間の情報が、幹事ユーザの端末装置１４から取得される（ステップS5）。
【０１３２】
続いて、図１８に示すように、日程設定部３６により、画像商品の配送日を設定する画面が、幹事ユーザの端末装置１４の画像表示部６８に表示される。
【０１３３】
画像商品の配送日は、日程設定部３６により、合成画像の作成期間の締切日から一定の期間の後の日付、図１８の例では、合成画像の作成期間の最終日である１２月４日から１６日後の１２月２０日に自動で設定される。
【０１３４】
幹事ユーザは、画像商品の配送日を設定する画面において、指示入力部７０を介して、画像商品の配送日を変更することができる。図１８の例では、例えば、追加料金を支払って、特急仕上げを指定することによって、画像商品の配送日を１２月２０日よりも前の日付に設定することができる。
【０１３５】
画像商品の配送日が設定された後、「次へ」のボタンが押されると、日程設定部３６により、画像商品の配送日の情報が取得される（ステップS5）。
【０１３６】
複数のユーザの端末装置１４から送信された複数の画像を用いて合成画像を作成する場合、期限管理が難しいが、画像処理装置１０では、期限管理を行うことができるため、幹事ユーザの負担を軽減することができる。
【０１３７】
続いて、図１９に示すように、設定保存部３８により、画像商材および日程の情報を確認する画面が、幹事ユーザの端末装置１４の画像表示部６８に表示される。
【０１３８】
幹事ユーザは、画像商材および日程の情報を確認する画面において、画像商材および日程の情報を確認し、その設定でよい場合には、「保存／ログイン」のボタンを押して次の画面へ進み、設定を変更したい場合には、「＜」のボタンを押して前の画面に戻る。
【０１３９】
「保存／ログイン」のボタンが押されると、図２０に示すように、設定保存部３８により、幹事ユーザが画像処理装置１０へログインするためのアカウント情報を入力する画面が、幹事ユーザの端末装置１４の画像表示部６８に表示される。
【０１４０】
幹事ユーザは、画像処理装置１０にログインするためのアカウント情報として、指示入力部７０を介して、幹事ユーザのメールアドレスおよび幹事パスワードを入力する。幹事ユーザが既に画像処理装置１０への会員登録を済ませている場合には、「ログイン」のボタンを押す。また、会員登録後に幹事パスワードを忘れた場合には、「パスワード忘れ」のボタンを押すことによって幹事パスワードを回復するための処理を行う。
【０１４１】
「ログイン」のボタンが押されると、アカウント情報保存部４０により、既に保存されているアカウント情報と、幹事ユーザによって入力されたアカウント情報とが比較され、両者が一致した場合に、幹事ユーザは画像処理装置１０にログインすることができる。
【０１４２】
一方、まだ会員登録を済ませていない場合には、「新規会員登録」のボタンを押すことによって新規に会員登録を行うための処理を行う。「新規会員登録」のボタンが押されると、アカウント情報保存部４０により、幹事ユーザによって入力されたメールアドレスおよび幹事パスワードが取得され、幹事ユーザのアカウント情報として保存される。幹事ユーザの端末装置１４は、会員登録の完了後、画像処理装置１０へログインすることができる。
【０１４３】
続いて、設定保存部３８により、商材取得部３０によって取得された画像商材、および、日程設定部３６によって取得された日程の情報が保存される。
【０１４４】
続いて、図２１に示すように、設定保存部３８により、幹事ユーザのログインと、画像商材および日程の情報の保存とが完了したことを表す画面が、幹事ユーザの端末装置１４の画像表示部６８に表示される。
【０１４５】
続いて、管理画面情報送付部４２により、管理画面にアクセスするためのURLを含むメッセージが送付される。また、このメッセージには、画像商材および日程の情報が保存されたことを表す通知が含まれている。
【０１４６】
また、図２１の例では、幹事ユーザだけでなく、指示入力部７０を介して、幹事ユーザ以外の参加ユーザのメールアドレスを入力することによって、幹事ユーザ以外の参加ユーザ、例えば、幹事ユーザの代理を務める副幹事ユーザのメールアドレス等にも、管理画面にアクセスするためのURLを含むメッセージを送付することができる。
【０１４７】
続いて、「次へ」のボタンが押されると、図２２に示すように、アップロード催促部４４により、参加ユーザの端末装置１４へ送付する招待状を作成するための画面が、幹事ユーザの端末装置１４の画像表示部６８に表示される。
【０１４８】
幹事ユーザは、招待状を作成するための画面において、指示入力部７０を介して、招待状に含めるメッセージを一定文字以内、図２２の例では、１５０文字以内で入力する。また、図２２の例では、「みんなの写真とメッセージでフォトブックを贈ろうよ！」という初期メッセージが自動で入力されている。これにより、幹事ユーザがメッセージを入力する手間を省くことができる。幹事ユーザは、初期メッセージをそのまま使用してもよいし、他のメッセージを入力してもよい。
【０１４９】
「次へ」のボタンが押されると、アップロード催促部４４により、招待状に含めるメッセージの情報が取得され、招待状が作成される（ステップS6）。
【０１５０】
続いて、図２３に示すように、アップロード催促部４４により、招待状の内容を確認するための画面が、幹事ユーザの端末装置１４の画像表示部６８に表示される。
【０１５１】
幹事ユーザは、招待状の内容を確認するための画面において、招待状の内容を確認し、その内容でよい場合には、「招待状送付画面へ」のボタンを押して次の画面へ進み、内容を変更したい場合には、「＜」のボタンを押して前の画面に戻る。
【０１５２】
「招待状送付画面へ」のボタンが押されると、図２４に示すように、アップロード催促部４４により、招待状を参加ユーザの端末装置１４へ送付するための画面が、幹事ユーザの端末装置１４の画像表示部６８に表示される。
【０１５３】
幹事ユーザは、招待状を送付するための画面において、指示入力部７０を介して、招待状を送付する手段として、図２４の例では、SNSのメッセージまたは電子メールを選択する。招待状は、「SNS」のボタンが押された場合、SNSのメッセージとして参加ユーザのSNSのアカウントに送付され、「メール」のボタンが押された場合、電子メールによって参加ユーザのメールアドレスに送付される。
【０１５４】
幹事ユーザは、合成画像の作成に関わる全ての参加ユーザに対して招待状を送付してもよいし、一部の参加ユーザのみに対して招待状を送付してもよい。
【０１５５】
SNSのメッセージまたは電子メールには、招待状の他、合成画像で使用される画像、画像の評価情報、寄せ書きメッセージ等を参加ユーザがアップロードする画面にアクセスするための招待用URL、および、共通パスワード、図２４の例では、「５８６５」が含まれている。
【０１５６】
「次へ」のボタンが押されると、アップロード催促部４４により、招待状が参加ユーザの端末装置１４に送付される（ステップS7）。
【０１５７】
参加ユーザは、招待状を参加ユーザの端末装置１４において受け取り、指示入力部７０を介して、招待用URLで示されるウェブサイトにアクセスする。
【０１５８】
招待用URLで示されるウェブサイトにアクセスすると、図２５に示すように、アップロード催促部４４により、受け取った招待状を表す画面が、参加ユーザの端末装置１４の画像表示部６８に表示される（ステップS8）。
【０１５９】
招待状には、幹事ユーザからのメッセージの他、参加ユーザへの要望として、合成画像において使用する画像および寄せ書きメッセージをアップロードすること、および、その募集締切日等の情報、本実施形態の場合、１２月２日（水）の２３：５９が表示される。
【０１６０】
参加ユーザは、招待状を表す画面を閲覧して、幹事ユーザから参加ユーザへの要望が、フォトブックにする画像および寄せ書きメッセージのアップロードであり、その募集締切日が、１２月２日であることを理解する。
【０１６１】
続いて、「利用規約に同意する」のチェックボックスがチェックされ、「次へ」のボタンが押されると、図２６に示すように、アカウント情報保存部４０により、合成画像において使用される画像、画像の評価情報、寄せ書きメッセージ等を参加ユーザがアップロードする画面にアクセスするための共通パスワードを入力するための画面が、参加ユーザの端末装置１４の画像表示部６８に表示される。
【０１６２】
参加ユーザは、共通パスワードを入力するための画面において、指示入力部７０を介して、受け取った招待状に含まれている共通パスワード、図２６の例では、「５８６５」を入力する。
【０１６３】
共通パスワードが入力され、「次へ」のバタンが押されると、図２７に示すように、アカウント情報保存部４０により、新規な参加ユーザを登録するための画面が、参加ユーザの端末装置１４の画像表示部６８に表示される。
【０１６４】
新規な参加ユーザを登録するための画面には、既に参加ユーザとして登録済みのユーザ（現在の参加メンバー）の名前が表示される。登録済みの参加ユーザの名前を表示することは必須ではない。しかし、登録済みの参加ユーザの名前を表示することによって、ユーザが新規に参加ユーザとして登録する場合に、自分が知っている名前が登録済みの参加ユーザの名前の中にあれば、安心して登録を行うことができる。
【０１６５】
参加ユーザは、まだ参加ユーザとして画像処理装置１０に登録していない場合、「新規登録」のボタンを押し、既に参加ユーザとして登録済みの場合には、「内容修正」のボタンを押す。
【０１６６】
「新規登録」のボタンが押されると、図２８に示すように、アカウント情報保存部４０により、参加ユーザとして登録する名前および個別パスワード（図２８では「秘密のコトバ」と表示される）を登録するための画面が、参加ユーザの端末装置１４の画像表示部６８に表示される。
【０１６７】
参加ユーザは、指示入力部７０を介して、名前として本名またはニックネームを入力し、秘密のコトバとして任意の文字列を入力する。
【０１６８】
参加ユーザの名前および秘密のコトバは、参加ユーザのアカウント情報となる。参加ユーザは、図２７に示すように、新規な参加ユーザを登録するための画面において、「内容修正」のボタンを押し、既に登録済みの名前および秘密のコトバを入力することによって、既にアップロードした画像、画像の評価情報、寄せ書きメッセージ等を修正することができる。
【０１６９】
参加ユーザの名前および秘密のコトバが入力され、「次へ」のボタンが押されると、アカウント情報保存部４０により、その参加ユーザの名前および秘密のコトバが取得され、参加ユーザのアカウント情報として保存される。
【０１７０】
続いて、図２９に示すように、画像取得部４６により、参加ユーザがアップロードする画像を選択するための画面が、参加ユーザの端末装置１４の画像表示部６８に表示される。
【０１７１】
参加ユーザは、アップロードする画像を選択するための画面において、「画像追加」のボタンを押すことによって、アップロードする画像を選択することができる。アップロードする画像を選択するための画面には、参加ユーザによって選択された画像の枚数が表示される。
【０１７２】
アップロードする画像が選択された後、「次へ」のボタンが押されると、画像取得部４６により、参加ユーザからアップロードされた画像、つまり、参加ユーザの端末装置１４から投稿された画像が取得される（ステップS9）。このように、画像取得部４６は、２以上の参加ユーザの端末装置１４から送信された複数の画像を取得する。また、画像取得部４６によって画像が取得される毎に、画像解析部５８により画像の解析が行われ、評価値算出部６０により、画像の解析結果に基づいて画像の解析評価値が算出される（ステップS10）。
【０１７３】
続いて、図３０に示すように、評価情報取得部４８により、２以上の参加ユーザの端末装置１４から送信された複数の画像の各々を評価するための画面が、参加ユーザの端末装置１４の画像表示部６８に表示される。
【０１７４】
参加ユーザは、各々の画像を評価するための画面において、指示入力部７０を介して、各々の画像に対して高評価または低評価を表す評価情報を付与することができる。例えば、参加ユーザは、各々の画像を閲覧し、自分が好きな画像に対して、「いいね」のボタンを押すことによって高評価を表す評価情報を付与し、嫌いな画像に対して、「いまいち」のボタンを押すことによって低評価を表す評価情報を付与することができる。
【０１７５】
各々の参加ユーザの端末装置１４から各々の画像に対して高評価および低評価を表す評価情報が付与されると、評価情報取得部４８により、各々の画像に対して付与された高評価および低評価を表す評価情報が、参加ユーザの端末装置１４から取得される（ステップS11）。
【０１７６】
評価情報が付与された後、「次へ」のボタンが押されると、図３１に示すように、コメント取得部７２により、参加ユーザが画像に対してコメントを付与するための画面が、参加ユーザの端末装置１４の画像表示部６８に表示される。
【０１７７】
参加ユーザは、画像に対してコメントを付与するための画面において、指示入力部７０を介して、各々の画像に対してコメントを付与することができる。
【０１７８】
各々の参加ユーザの端末装置１４から各々の画像に対してコメントが付与されると、コメント取得部７２により、各々の画像に付与されたコメントが、参加ユーザの端末装置１４から取得される（ステップS12）。
【０１７９】
コメントが付与された後、「次へ」のボタンが押されると、図３２に示すように、メッセージ取得部５０により、寄せ書きページがフォトブックの巻末に入ることを通知する画面が、参加ユーザの端末装置１４の画像表示部６８に表示される。
【０１８０】
参加ユーザは、寄せ書きページがフォトブックの巻末に入ることを通知する画面を閲覧して確認する。
【０１８１】
続いて、「次へ」のボタンが押されると、図３３に示すように、メッセージ取得部５０により、寄せ書きページにおいて使用する参加ユーザのプロフィール画像を設定するための画面が、参加ユーザの端末装置１４の画像表示部６８に表示される。
【０１８２】
参加ユーザは、プロフィール画像を設定するための画面を押すことによって、参加ユーザが参加ユーザの端末装置１４において所有する画像の中からプロフィール画像として使用する画像を選択して設定することができる。また、参加ユーザは、「削除」のボタンを押すことによって、既に設定したプロフィール画像を削除し、再度、プロフィール画像を設定し直すことができる。
【０１８３】
参加ユーザがプロフィール画像を設定した後、「次へ」のボタンが押されると、画像取得部４６により、参加ユーザによって設定されたプロフィール画像が、参加ユーザの端末装置１４から取得される（ステップS13）。
【０１８４】
続いて、図３４に示すように、メッセージ取得部５０により、寄せ書きメッセージを入力するための画面が、参加ユーザの端末装置１４の画像表示部６８に表示される。
【０１８５】
参加ユーザは、寄せ書きメッセージを入力するための画面において、指示入力部７０を介して、寄せ書きページに含めるメッセージを１５０文字以内で入力する。図３４の例では、「結婚おめでとう。  …  幸せになってください。」という初期メッセージが自動で入力されている。これにより、参加ユーザがメッセージを入力する手間を省くことができる。参加ユーザは、初期メッセージをそのまま使用してもよいし、他のメッセージを入力してもよい。
【０１８６】
また、参加ユーザは、寄せ書きメッセージを入力するための画面において、「他の人の寄せ書きを見る」のボタンを押すことによって、他の参加ユーザが既にアップロードした寄せ書きメッセージを閲覧することができる。
【０１８７】
参加ユーザが寄せ書きメッセージを入力した後、「入力完了」のボタンが押されると、図３５に示すように、メッセージ取得部５０により、参加ユーザが入力した寄せ書きメッセージを確認するための画面が、参加ユーザの端末装置１４の画像表示部６８に表示される。
【０１８８】
参加ユーザは、寄せ書きメッセージを確認する画面において、寄せ書きメッセージを閲覧して確認し、そのメッセージでよい場合には、「投稿する」のボタンを押して次の画面へ進み、メッセージを変更したい場合には、「＜」のボタンを押して前の画面に戻る。
【０１８９】
「投稿する」のボタンが押されると、メッセージ取得部５０により、参加ユーザから投稿された寄せ書きメッセージ、つまり、参加ユーザの端末装置１４からアップロードされた寄せ書きメッセージが取得される（ステップS14）。
【０１９０】
このように、複数のユーザの画像を用いてフォトブック等の合成画像を作成する場合に、フォトブックの本編ページだけでなく、寄せ書きページを含めることによって、フォトブックの受取人に対する各々の参加ユーザの気持ちを寄せ書きメッセージとして伝えることができる。
【０１９１】
続いて、図３６に示すように、寄せ書きメッセージの投稿が完了したことを表す画面が、参加ユーザの端末装置１４の画像表示部６８に表示される。
【０１９２】
続いて、「完了」のボタンが押されると、画像、画像の評価情報および寄せ書きメッセージのアップロードは完了する。
【０１９３】
続いて、日程設定部３６により、画像および寄せ書きメッセージの募集締切日を過ぎたことが検出されると、画像数算出部５２により、画像取得部４６によって取得された画像の数が算出される（ステップS15）。また、評価数算出部５４により、評価情報取得部４８によって取得された、各々の画像に付与された高評価および低評価を表す評価情報の数が算出され（ステップS16）、コメント数算出部７６により、コメント取得部７２によって取得された、各々の画像に付与されたコメントの数が算出され（ステップS17）、メッセージ数算出部５６により、メッセージ取得部５０によって取得された寄せ書きメッセージの数が算出される（ステップS18）。
【０１９４】
続いて、評価値算出部６０により、各々の画像に対する高評価および低評価を表す評価情報、例えば、評価情報の数、および、各々の画像に付与されたコメント、例えば、コメントの数に基づいて、各々の画像の解析評価値に対して値が加減算されて、各々の画像の総合評価値が算出される（ステップS19）。
【０１９５】
評価値算出部６０は、例えば、各々の画像に付与された高評価を表す評価情報の数が多いほど、また、画像に付与されたコメントの数が多いほど、より大きい値を各々の画像の解析評価値に加算することによって各々の画像の総合評価値を算出する。また、評価値算出部６０は、各々の画像に付与された低評価を表す評価情報の数が多いほど、より大きい値を各々の画像の解析評価値から減算することによって各々の画像の総合評価値を算出する。
【０１９６】
前述のように、画像が取得される毎に、画像を解析して、その解析評価値を算出することは必須ではない。しかし、画像が取得される毎に、画像を解析して、その解析評価値を算出しておくことにより、全ての画像を取得した後に画像をまとめて解析して解析評価値を算出する場合と比べて、画像の総合評価値を短時間で算出することができ、その結果、合成画像の作成にかかる時間を短縮することができる。
【０１９７】
続いて、幹事ユーザは、幹事ユーザの端末装置１４において、指示入力部７０を介して、合成画像作成部２６に対して合成画像の作成を指示する。
【０１９８】
合成画像作成部２６に対して合成画像の作成が指示されると、表紙作成部６２により、表紙ページのデザインの情報に対応するデザインであり、幹事ユーザによって設定されたタイトルが記載され、幹事ユーザによって設定された色の表紙ページが作成される（ステップS20）。
【０１９９】
続いて、本編作成部６４により、画像取得部４６によって取得された複数の画像のうちの少なくとも１つの画像を用いて、フォトブックの本編ページが作成される（ステップS21）。
【０２００】
本編作成部６４では、画像分割部７８により、画像取得部４６によって取得された複数の画像が、本編ページのページ数に対応する複数のグループに分割される。
【０２０１】
続いて、画像抽出部８０により、画像のグループ毎に、画像の総合評価値に基づいて、例えば、総合評価値が最も高い画像から順に、グループに含まれる画像の中から、本編ページにおいて使用する複数の画像が合成対象画像として抽出される。
本実施形態の場合、グループに含まれる画像の中から、コメントが付与された１以上の第１画像を含む２以上の合成対象画像が抽出されるものとする。
【０２０２】
続いて、画像配置部８２により、画像のグループ毎に、画像の総合評価値に基づいて、第１レイアウトとして、各々の合成対象画像のサイズおよび本編ページにおける配置位置が決定され、合成対象画像が、各々対応する本編ページに第１レイアウトで配置されて本編ページが作成される。例えば、本編ページに配置される複数の合成対象画像のうち、総合評価値が最も高い合成対象画像が、他の合成対象画像よりも大きいサイズで、そのページの中央位置に配置される。
【０２０３】
続いて、コメント合成領域存在判定部８４により、画像配置部８２によって作成された本編ページにおける合成対象画像の配置領域内において、合成対象画像の周囲に、第１画像に付与されたコメントを合成する領域が存在するか否かの判定が行われる。
【０２０４】
ここで、コメント合成領域存在判定部８４により、合成対象画像の周囲に、第１画像に付与されたコメントを合成する領域が存在すると判定された場合、合成画像レイアウト変更部８６によって第１レイアウトは変更されない。
【０２０５】
一方、コメント合成領域存在判定部８４により、合成対象画像の周囲に、その第１画像に付与されたコメントを合成する領域が存在しないと判定された場合、つまり、合成対象画像の周囲にコメントを配置することできない場合、合成画像レイアウト変更部８６により、画像配置部８２によって決定された第１レイアウトが、合成対象画像と、第１画像に付与されたコメントとを合成する第２レイアウトに変更される。
【０２０６】
ここで、フォトブック等のアルバム商品においては、１ページの本編ページに画像を配置することができる領域が限られているため、その配置領域を有効に活用することが望まれる。また、本編ページの見開きページ毎にイベント等に対応する画像をまとめて配置することも多いため、コメントを配置するために、例えば、第１画像以外の画像を単純に玉突き式に後ろ側のページに移動させるわけにはいかないという課題もある。
【０２０７】
そのため、本実施形態の場合、合成画像レイアウト変更部８６は、第１レイアウトを、（１）ないし（４）のうちの少なくとも１つを行い第２レイアウトに変更する。
（１）第１画像に付与されたコメントを、合成対象画像のうちの第１画像以外の１以上の画像のサイズを縮小することによって得られた本編ページにおける合成対象画像の配置領域に配置する。
（２）第１画像に付与されたコメントを、合成対象画像のうちの第１画像以外の１以上の画像を削除することによって得られた本編ページにおける合成対象画像の配置領域に配置する。
（３）コメントの配置領域を半透明にし、合成対象画像のうちのいずれかと第１画像に付与されたコメントとを重畳して配置する。
（４）合成対象画像のうちのいずれかの背景領域を抽出し、第１画像に付与されたコメントを、合成対象画像のうちのいずれかの背景領域に配置する。
【０２０８】
つまり、第２レイアウトが（１）または（２）を行う場合、それぞれ、第１レイアウトにおける合成対象画像のうちの第１画像以外の画像のサイズおよび数が変更される。また、第２レイアウトが（３）または（４）を行う場合、第１レイアウトにおける合成対象画像のサイズ、数および配置位置は変更されないが、コメントが合成対象画像の周囲ではなく、合成対象画像に重畳して配置されるように変更される。
【０２０９】
第２レイアウトが（１）または（２）を行う場合、第１画像に付与されたコメントは、その第１画像の近く（第１画像から一定の範囲内）に配置してもよいし、あるいは、その第１画像から離れたところ（第１画像から一定の範囲外）に配置してもよい。また、合成対象画像のうちの第１画像に隣接する画像のサイズを縮小する、または、削除してもよいし、合成対象画像のうちの総合評価値が最も低い画像から順に、その画像のサイズを縮小する、または、削除してもよい。
【０２１０】
また、第２レイアウトが（３）または（４）を行う場合、第１画像と、その第１画像に付与されたコメントとを重畳して配置してもよいし、あるいは、第１画像以外の画像と、第１画像に付与されたコメントとを重畳して配置してもよい。
【０２１１】
また、半透明とは、例えば、合成対象画像におけるコメントの配置領域の画素値の透明度が２５％ないし７５％の範囲の場合に、これに対応して、コメントの画素値の透明度が７５％〜２５％の範囲である場合をいう。また、第２レイアウトが（４）の場合は、第２レイアウトが（３）の場合において、合成対象画像におけるコメントの配置領域の透明度を０％として、コメントを合成対象画像の背景領域に合成したものと考えることができる。
【０２１２】
以下、第１レイアウトを第２レイアウトに変更する場合の具体例を挙げて説明する。
【０２１３】
（実施例１）
第１レイアウトにおいて、本編ページに配置される合成対象画像の数、各々の合成対象画像のサイズおよび配置位置と、コメントの数、サイズおよび配置位置とが決定されている場合を考える。コメントの配置領域は、例えば、各々の合成対象画像の周囲に２つずつというように、合成対象画像毎に、あらかじめ一定数のコメントの配置領域が設けられているとする。
【０２１４】
この場合、コメント合成領域存在判定部８４は、例えば、本編ページに含まれる第１画像に付与されたコメントの合計数が、第１レイアウトによって決定されているコメントの配置領域の合計数を超えている場合に、本編ページにおける合成対象画像の配置領域において、合成対象画像の周囲に第１画像に付与されたコメントを合成する領域が存在しないと判定する。
【０２１５】
これに応じて、合成画像レイアウト変更部８６は、第１レイアウトを、（１）および（２）のように、それぞれ、合成対象画像のうちの第１画像以外の画像のサイズおよび数を変更する第２レイアウトに変更する。あるいは、第１レイアウトを、（３）および（４）のように、合成対象画像におけるコメントの配置領域（重畳領域）の透明度を変更して、コメントを合成対象画像の配置領域内に重畳して配置するか、コメントを合成対象画像の背景領域に重畳して配置するように変更する第２レイアウトに変更する。
【０２１６】
画像配置部８２は、第１レイアウトによって決定されたコメントの配置位置、および、第２レイアウトにおいて決定された新たなコメントの配置位置にコメントを配置することによって本編ページを作成する。
【０２１７】
（実施例２）
第１レイアウトにおいて、合成対象画像の数、サイズおよび配置位置のみが決定され、コメントの配置領域は決定されていない場合を考える。
【０２１８】
この場合、例えば、画像配置部８２が合成対象画像の周囲にコメントを１つずつ配置していき、コメントを１つ配置する毎に、コメント合成領域存在判定部８４が、コメントの配置領域が存在しているか否かを動的に判定する。そして、コメント合成領域存在判定部８４は、コメントを配置することができなくなった場合に、本編ページにおける合成対象画像の配置領域において、合成対象画像の周囲に第１画像に付与されたコメントを合成する領域が存在しないと判定する。
【０２１９】
これに応じて、合成画像レイアウト変更部８６は、実施例１の場合と同様に、第１レイアウトを、（１）ないし（４）のうちの少なくとも１つを行う第２レイアウトに変更する。
【０２２０】
画像配置部８２は、第１レイアウトにおいて既に配置されたコメントに加えて、第２レイアウトにおいて決定された新たなコメントの配置位置にコメントを配置することによって本編ページを作成する。
【０２２１】
なお、合成画像レイアウト変更部８６は、第１レイアウトを、例えば、（１）ないし（４）のうち、あらかじめ設定された少なくとも１つを行う第２レイアウトに変更してもよいし、幹事ユーザによって指定された少なくとも１つを行う第２レイアウトに変更してもよい。また、合成対象画像に含まれる第１画像に付与されたコメントの数に応じて、第１レイアウトを、（１）ないし（４）のうちの少なくとも１つを行う第２レイアウトに変更することもできる。
【０２２２】
合成画像レイアウト変更部８６によって第１レイアウトが第２レイアウトに変更された場合、画像配置部８２により、第２レイアウトで合成対象画像が配置され、合成対象画像と、第１画像に付与されたコメントとが合成されて本編ページが作成し直される。これにより、本編ページにおいて、合成対象画像と、第１画像に対して複数の参加ユーザによって付与されたコメントとを合成することができる。
【０２２３】
このように、画像処理装置１０においては、複数の参加ユーザから複数の画像を取得し、複数の画像の各々に対して、複数の参加ユーザによって付与されたコメントを取得し、合成対象画像と、第１画像に対して複数の参加ユーザによって付与されたコメントとを合成して本編ページを作成することができる。また、本編ページにおける第１画像の価値を損なうことなく、より多くのコメントを合成画像における合成対象画像の配置領域に配置することができる。
【０２２４】
ここで、画像配置部８２は、本編ページにおいて、コメントが付与された画像である第１画像が、コメントが付与されていない画像である第２画像よりも目立つように強調してもよい。画像配置部８２は、例えば、第１画像のサイズを拡大し第２画像のサイズよりも大きくしたり、画像の周囲を装飾する枠画像を、第２画像の周囲には配置せず、第１画像の周囲のみに配置したりすることができる。
【０２２５】
また、画像配置部８２は、第２レイアウトが（１）および（２）のうちの少なくとも１つを行う場合であって、かつ１つの第１画像に複数のコメントが付与された場合に、本編ページにおける合成対象画像の配置領域において、１つの第１画像に付与された複数のコメントを、その第１画像の周囲、例えば、その１つの第１画像の上下左右の位置のうちの少なくとも１つに並べて配置することが望ましい。
【０２２６】
複数のコメントを並べて配置する場合、画像配置部８２は、本編ページにおける合成対象画像の配置領域において、複数のコメントの各々を第１画像に付与した参加ユーザの顔画像を、第１画像に付与された各々のコメントに対応付けて配置してもよい。
【０２２７】
この場合、各々の参加ユーザの端末装置１４から各々の参加ユーザの顔画像を取得する必要があるが、本実施形態の場合、画像取得部４６が、各々の参加ユーザによって設定された参加ユーザのプロフィール画像を取得するため、顔画像として、各々の参加ユーザのプロフィール画像を使用することができる。あるいは、画像取得部４６は、各々の参加ユーザの端末装置１４から各々の参加ユーザの顔画像を別途取得してもよい。
【０２２８】
さらに、画像配置部８２は、本編ページにおける合成対象画像の配置領域において、複数のコメントの各々を第１画像に付与した参加ユーザの名前を、第１画像に付与された各々のコメントに対応付けて表示してもよい。
【０２２９】
同様に、各々の参加ユーザの端末装置１４から各々の参加ユーザの名前を取得する必要があるが、本実施形態の場合、アカウント情報保存部４０が、参加ユーザのアカウント情報として、参加ユーザの名前および個別パスワードを保存しているため、参加ユーザの名前として、参加ユーザのアカウント情報として保存されている参加ユーザの名前を使用することができる。
【０２３０】
また、画像配置部８２は、第１画像に付与されたコメントを、その第１画像のサイズを縮小することによって得られた本編ページにおける合成対象画像の配置領域に配置してもよい。この場合、第１画像のサイズは小さくなるが、本編ページにおける合成対象画像の配置領域において、第１画像の周囲に、その第１画像に付与されたコメントを確実に配置することができる。
【０２３１】
一方、画像配置部８２は、第２レイアウトが（３）または（４）を行う場合に、第１画像に付与されたコメントを、その第１画像の配置領域内に吹き出しの形式で表示してもよい。
【０２３２】
また、コメント取得部７２は、複数の参加ユーザの端末装置１４から、ネットワーク１６を介して、第１画像に付与されたコメントに対して付与された追加コメントを取得してもよい。この場合、画像配置部８２は、第２レイアウトが前述の（１）および（２）のうちの少なくとも１つを行う場合に、本編ページにおける合成対象画像の配置領域において、第１画像に付与されたコメントおよび追加コメントを、第１画像の周囲に並べて配置する。
【０２３３】
また、幹事ユーザは、画像を取得する一定の期間中、または、一定の期間が経過した後でも、複数の画像の中から画像（第３画像）を指定して、第３画像に対してコメントを付与することを参加ユーザにリクエストすることができる。
【０２３４】
この場合、幹事ユーザによって第３画像が指定されると、コメントリクエスト部７４により、幹事ユーザによって指定された第３画像に対してコメントを付与することが、複数の参加ユーザの端末装置１４に対してリクエストされる。そして、各々の参加ユーザによって第３画像にコメントが付与されると、コメント取得部７２により、第３画像に付与されたコメントが、参加ユーザの端末装置１４から取得される。
【０２３５】
コメント取得部７２は、例えば、コメントリクエスト部７４によってコメントのリクエストが行われてから一定の期間、複数の参加ユーザの端末装置１４から、複数の参加ユーザの各々によって第３画像に付与されたコメントを取得してもよいし、あるいは、第３画像に付与されたコメントの数が一定数に到達した時点で、コメントの取得を終了してもよい。
【０２３６】
また、画像配置部８２は、第１画像の解析結果に基づいて、その第１画像に付与されたコメントに含まれる文字または文字の境界の色を変更してもよい。例えば、第１画像の色合いに応じて、その第１画像に付与されたコメントに含まれる文字または文字の境界の色を変更する。また、画像配置部８２は、コメントに含まれる文字を立体化してもよい。これにより、コメントが目立って表示されるように強調することができる。
【０２３７】
また、本編ページにおける合成対象画像の配置領域において、第１画像に付与された全てのコメントを合成することが望ましいが、１つの第１画像に複数のコメントが付与された場合には、その全てのコメントを合成することが難しい場合がある。
この場合、コメント選択部８８により、１つの第１画像に付与された複数のコメントの中から、１つの第１画像に付与された複数のコメントの数よりも少ない数のコメントを選択コメントとして選択してもよい。
【０２３８】
コメント選択部８８は、例えば、第１画像に付与されたコメントの数が閾値を超えた場合に、第１画像に付与された複数のコメントの中から、幹事ユーザによって選択された閾値以下の数のコメントを選択コメントとして選択したり、あるいは、第１画像に付与されたコメントの数が閾値を超えた場合に、第１画像に付与された複数のコメントの中から閾値以下の数のコメントを選択コメントとして選択したりすることができる。
【０２３９】
コメント選択部８８によって選択コメントが選択された場合、画像配置部８２は、合成対象画像を配置し、合成対象画像と、第１画像に付与された選択コメントとを合成して本編ページを作成する。
【０２４０】
続いて、寄せ書き作成部６６により、参加ユーザのプロフィール画像および寄せ書きメッセージを用いて、寄せ書きページのデザインの情報に対応するデザインの寄せ書きページが作成される（ステップS22）。
【０２４１】
寄せ書き作成部６６では、メッセージ分割部により、メッセージ取得部５０によって取得された寄せ書きメッセージが、寄せ書きページのページ数に対応する数のグループに分割される。
【０２４２】
続いて、メッセージ配置部により、寄せ書きメッセージのグループ毎に、例えば、グループに含まれる寄せ書きメッセージと対応する参加ユーザのプロフィール画像とが組み合わされて、寄せ書きメッセージのグループに対応するページの寄せ書きページに配置されて寄せ書きページが作成される。各々の寄せ書きページにおいて、寄せ書きメッセージは、例えば、寄せ書きメッセージがアップロードされた順序で順次配置される。
【０２４３】
上記のように、表紙作成部６２、本編作成部６４および寄せ書き作成部６６によって、２以上の参加ユーザの端末装置１４から取得された複数の画像、参加ユーザのプロフィール画像および寄せ書きメッセージを用いて、それぞれ、表紙ページのデザインの情報に対応する表紙ページ、本編ページ、および、寄せ書きページのデザインの情報に対応する寄せ書きページを含むフォトブックが自動で作成される。
【０２４４】
画像処理装置１０では、本編ページだけでなく、寄せ書きページを含むフォトブック等の合成画像を作成することができる。また、画像の総合評価値に基づいて、本編ページにおいて使用する画像の他、各々の画像のサイズおよび本編ページにおける配置位置等を決定することによって、画像の良し悪しだけでなく、複数の参加ユーザの好みを反映した合成画像を作成することができる。
【０２４５】
幹事ユーザは、幹事ユーザの端末装置１４において、自動で作成された表紙ページ、本編ページおよび寄せ書きページからなるフォトブックの各ページを閲覧する。幹事ユーザは、自動で作成されたフォトブックをそのまま採用してもよいし、各ページの内容、例えば、各ページにおいて使用する画像、画像のサイズ、画像および寄せ書きメッセージの配置位置等を編集してもよい。また、コメントの追加、スタンプ画像の追加、各ページの背景の種類および色の変更等を行うことができる。
【０２４６】
幹事ユーザは、日程設定部３６によって設定された合成画像の作成期間内、本実施形態の場合、１２月４日までにフォトブックの作成を完了し、作成を完了したフォトブックの内容で画像商品を注文する（ステップS23）。幹事ユーザが注文する画像商品には、紙媒体のフォトブックおよび電子データのフォトブックの少なくとも一方が含まれる。
【０２４７】
画像商品が注文されると、注文された画像商品のフォトブックが作成され、日程設定部３６によって設定された画像商品の配送日、本実施形態の場合、１２月２０日までに配送先へ送付される（ステップS24）。紙媒体のフォトブックの場合には、例えば、紙媒体のフォトブックが配送先へ送付され、電子データのフォトブックの場合には、例えば、電子データのフォトブック、あるいは電子データをダウンロードするためのURL等が配送先のメールアドレスへ送付される。
【０２４８】
以上のように、画像処理装置１０では、複数の参加ユーザの端末装置１４から取得された複数の画像および寄せ書きメッセージを用いて、寄せ書きページを含むフォトブック等の合成画像を作成することができる。
【０２４９】
なお、幹事ユーザだけが合成画像を作成することは必須ではなく、合成画像の作成に関わる複数のユーザが共同で合成画像を作成してもよいし、複数のユーザのうちの少なくとも一人のユーザ（本発明の第１ユーザ）が合成画像を作成してもよい。
【０２５０】
画像処理装置１０を構成する各部位の具体的な構成は何ら限定されず、同様の機能を果たすことができる各種構成のものを利用することができる。
また、上記実施形態では、サーバ１２が情報設定部１８、情報管理部２０、データ取得部２２、データ解析部２４および合成画像作成部２６を備えているが、これらのうちの少なくとも１つをユーザの端末装置１４が備えていてもよい。
【０２５１】
本発明の装置は、装置が備える各々の構成要素を専用のハードウェアで構成してもよいし、各々の構成要素をプログラムされたコンピュータで構成してもよい。
本発明の方法は、例えば、その各々のステップをコンピュータに実行させるためのプログラムにより実施することができる。また、このプログラムが記録されたコンピュータ読み取り可能な記録媒体を提供することもできる。
【０２５２】
以上、本発明について詳細に説明したが、本発明は上記実施形態に限定されず、本発明の主旨を逸脱しない範囲において、種々の改良や変更をしてもよいのはもちろんである。
【符号の説明】
【０２５３】
１０  画像処理装置
１２  サーバ
１４  端末装置（クライアント）
１６  ネットワーク
１８  情報設定部
２０  情報管理部
２２  データ取得部
２４  データ解析部
２６  合成画像作成部
２８  予算設定部
３０  商材取得部
３２  表紙デザイン設定部
３４  寄せ書きデザイン設定部
３６  日程設定部
３８  設定保存部
４０  アカウント情報保存部
４２  管理画面情報送付部
４４  アップロード催促部
４６  画像取得部
４８  評価情報取得部
５０  メッセージ取得部
５２  画像数算出部
５４  評価数算出部
５６  メッセージ数算出部
５８  画像解析部
６０  評価値算出部
６２  表紙作成部
６４  本編作成部
６６  寄せ書き作成部
６８  画像表示部
７０  指示入力部
７２  コメント取得部
７４  コメントリクエスト部
７６  コメント数算出部
７８  画像分割部
８０  画像抽出部
８２  画像配置部
８４  コメント合成領域存在判定部
８６  合成画像レイアウト変更部
８８  コメント選択部
【図１】
2018005597.tif 000003
【図２】
2018005597.tif 000004
【図３】
2018005597.tif 000005
【図４】
2018005597.tif 000006
【図５】
2018005597.tif 000007
【図６】
2018005597.tif 000008
【図７】
2018005597.tif 000009
【図８】
2018005597.tif 000010
【図９】
2018005597.tif 000011
【図１０】
2018005597.tif 000012
【図１１】
2018005597.tif 000013
【図１２】
2018005597.tif 000014
【図１３】
2018005597.tif 000015
【図１４】
2018005597.tif 000016
【図１５】
2018005597.tif 000017
【図１６】
2018005597.tif 000018
【図１７】
2018005597.tif 000019
【図１８】
2018005597.tif 000020
【図１９】
2018005597.tif 000021
【図２０】
2018005597.tif 000022
【図２１】
2018005597.tif 000023
【図２２】
2018005597.tif 000024
【図２３】
2018005597.tif 000025
【図２４】
2018005597.tif 000026
【図２５】
2018005597.tif 000027
【図２６】
2018005597.tif 000028
【図２７】
2018005597.tif 000029
【図２８】
2018005597.tif 000030
【図２９】
2018005597.tif 000031
【図３０】
2018005597.tif 000032
【図３１】
2018005597.tif 000033
【図３２】
2018005597.tif 000034
【図３３】
2018005597.tif 000035
【図３４】
2018005597.tif 000036
【図３５】
2018005597.tif 000037
【図３６】
2018005597.tif 000038